(57)【要約】【課題】様々なアーティストのライブの生中継映像を容易に視聴することができる映像配信システムを提供することを課題とする。【解決手段】配信サーバ２０は、ライブハウス１ａに関する情報、ライブのスケジュール、及びライブを行うアーティストが登録されたデータベース２２を有している。カメラ１１ａは、ライブハウス１ａで行われるライブを撮影して映像データをリアルタイムに配信サーバ２０へ送信する。配信サーバ２０は、ユーザ端末３により指定された検索条件を満たすアーティストを抽出し、抽出されたアーティストがライブ中であるか否かを示す配信情報を送信する。これにより、ユーザ会員は、ライブ中のアーティストを知ることができる。配信サーバ２０は、ライブ中のアーティストのライブ映像の視聴をユーザ端末３から要求された場合、カメラ１１ａから継続的に受信している映像データをユーザ端末３に配信する。【選択図】図１
2011103522.tif 000002
【特許請求の範囲】
【請求項１】
ライブハウスに設置され、前記ライブハウスで行われているアーティストのライブを撮影して映像データを生成するカメラと、
ネットワークを介して前記映像データをリアルタイムに受信し、受信した前記映像データを生中継データとしてリアルタイムに配信する配信サーバと、
を備え、
前記配信サーバは、
前記ライブハウスを特定する情報と、前記ライブハウスで行われるライブのスケジュールと、前記ライブを行うアーティストに関する情報とを対応付けたデータベースと、
ユーザ端末により指定された検索条件を満たすアーティストを前記データベースから抽出し、抽出されたアーティストのライブを生中継しているか否かを示す配信情報を前記データベースに基づいて生成する検索部と、
前記抽出されたアーティストと、前記配信情報とを対応付けた検索結果を前記ユーザ端末に送信する送信部と、
前記ユーザ端末が前記抽出されたアーティストの生中継データの配信を要求した場合、配信を要求された生中継データの前記ユーザ端末への配信を開始する映像配信部と、
を含むことを特徴とする映像配信システム。
【請求項２】
請求項１に記載の映像配信システムにおいて、
前記映像配信部は、
前記抽出されたアーティストの生中継データの配信先数を取得する配信先管理部、
を含み、
前記送信部は、前記抽出されたアーティストと、前記配信情報と、前記配信先数とを対応付けた検索結果を送信することを特徴とする映像配信システム。
【請求項３】
請求項１または請求項２に記載の映像配信システムにおいて、
前記データベースは、
前記ライブハウスを特定する情報と、ライブハウスの規模とが対応付けられたライブハウスデータベース、
を含み、
前記検索部は、前記検索条件としてライブハウスの規模が指定された場合、指定された規模のライブハウスでライブ中のアーティストと、前記指定された規模のライブハウスでライブを行ったアーティストとを抽出することを特徴とする映像配信システム。
【請求項４】
ライブハウスに設置され、前記ライブハウスで行われているライブを撮影して映像データを生成するカメラと、
ネットワークを介して前記映像データをリアルタイムに受信し、受信した前記映像データを生中継データとしてリアルタイムに配信する配信サーバと、
を備え、
前記配信サーバは、
前記ライブハウスを特定する情報と、前記ライブハウスで行われるライブのスケジュールとを対応付けたデータベースと、
ユーザ端末により指定された検索条件を満たすライブハウスを前記データベースから抽出し、抽出されたライブハウスで行われているライブを生中継しているか否かを示す配信情報を前記データベースに基づいて生成する検索部と、
前記抽出されたライブハウスと、前記配信情報とを対応付けた検索結果を前記ユーザ端末に送信する送信部と、
前記ユーザ端末が前記抽出されたライブハウスの生中継データの配信を要求した場合、配信を要求された生中継データの前記ユーザ端末への配信を開始する映像配信部と、
を含むことを特徴とする映像配信システム。
【請求項５】
請求項４に記載の映像配信システムにおいて、
前記映像配信部は、
前記抽出されたライブハウスの生中継データの配信先数を取得する配信先管理部、
を含み、
前記送信部は、前記抽出されたライブハウスと、前記配信情報と、前記配信先数とを対応付けた検索結果を送信することを特徴とする映像配信システム。
【請求項６】
請求項１ないし請求項５のいずれかに記載の映像配信システムにおいて、
前記ライブハウスに設置される前記カメラは複数であり、
前記配信サーバは、
前記ユーザ端末から生中継データの配信を要求された場合、中継元のライブハウスに設置された各カメラの位置を示すカメラ位置情報を前記ユーザ端末に送信する位置情報送信部、
を含み、
前記映像配信部は、前記カメラ位置情報に基づいて前記ユーザ端末が選択したカメラに対応する生中継データを、前記ユーザ端末に配信することを特徴とする映像配信システム。
【発明の詳細な説明】
【技術分野】
【０００１】
本発明は、インターネットを用いて映像を配信する映像配信システムに関する。
【背景技術】
【０００２】
近年、野球場や、コンサートホールなどにカメラを設置し、カメラが撮影した映像をリアルタイム配信（ライブ配信）することが行われている。リアルタイム配信とは、カメラが撮影した映像データを、リアルタイムに視聴者のＰＣ（パーソナルコンピュータ）などにストリーミング配信することをいう。リアルタイム配信の利用により、通常のテレビ放送に頼ることなく、プロ野球の試合や、全国的に有名なメジャーアーティストのライブなどを生中継することが可能となっている。
【０００３】
下記特許文献１には、サッカー競技場などに設置された複数のカメラの中から、モニタに表示されるカメラの映像を視聴者が自由に選択することができる映像配信システムが開示されている。下記特許文献１では、各カメラが撮影したストリームデータが合成されることにより、合成ストリームデータが生成される。合成ストリームデータは、ネットワークを介して配信される。視聴者は、合成ストリームデータに含まれるストリームデータを選択することにより、サッカー競技場内の様々な視点からサッカーの試合を観戦することができる。
【先行技術文献】
【特許文献】
【０００４】
【特許文献１】特開２００３−０１８５８３号公報
【発明の概要】
【発明が解決しようとする課題】
【０００５】
メジャーアーティストやプロ野球チームなどは、全国的に有名である。メジャーアーティストのライブや、プロ野球の試合のリアルタイム配信が行われていることを、視聴者は、インターネットの検索サービスを用いて容易に知ることができる。つまり、リアルタイム配信されるメジャーアーティストのライブや、プロ野球の試合を視聴することは、視聴者にとって容易である。
【０００６】
メジャーアーティストの他に、インディーズアーティストや、インディーズバンドなどのアーティストが存在する（以下、これらのアーティストやバンドを総称して、「インディーズアーティスト」と呼ぶ）。インディーズアーティストは、収容人数が数百人以下の小規模なライブハウスでライブを行うことが多い。また、インディーズアーティストが製作するＣＤ（Ｃｏｍｐａｃｔ  Ｄｉｓｃ）が、全国規模で販売されるケースは少ない。このため、インディーズアーティストの知名度は、メジャーアーティストの知名度に比べて非常に低い。
【０００７】
たとえば、視聴者の好みに合うインディーズアーティストが活動しており、このインディーズアーティストが行うライブの情報がインターネットに公開されていたとする。しかし、視聴者は、そのインディーズアーティストの存在を知らなければ、そのインディーズアーティストが行うライブの情報を入手することができない。
【０００８】
そこで、本発明は前記問題点に鑑み、様々なアーティストのライブの生中継映像を容易に視聴することができる映像配信システムを提供することを目的とする。
【課題を解決するための手段】
【０００９】
上記課題を解決するため、請求項１記載の発明は、映像配信システムであって、ライブハウスに設置され、前記ライブハウスで行われているアーティストのライブを撮影して映像データを生成するカメラと、ネットワークを介して前記映像データをリアルタイムに受信し、受信した前記映像データを生中継データとしてリアルタイムに配信する配信サーバと、を備え、前記配信サーバは、前記ライブハウスを特定する情報と、前記ライブハウスで行われるライブのスケジュールと、前記ライブを行うアーティストに関する情報とを対応付けたデータベースと、ユーザ端末により指定された検索条件を満たすアーティストを前記データベースから抽出し、抽出されたアーティストのライブを生中継しているか否かを示す配信情報を前記データベースに基づいて生成する検索部と、前記抽出されたアーティストと、前記配信情報とを対応付けた検索結果を前記ユーザ端末に送信する送信部と、前記ユーザ端末が前記抽出されたアーティストの生中継データの配信を要求した場合、配信を要求された生中継データの前記ユーザ端末への配信を開始する映像配信部と、を含むことを特徴とする。
【００１０】
請求項２記載の発明は、請求項１に記載の映像配信システムにおいて、前記映像配信部は、前記抽出されたアーティストの生中継データの配信先数を取得する配信先管理部、を含み、前記送信部は、前記抽出されたアーティストと、前記配信情報と、前記配信先数とを対応付けた検索結果を送信することを特徴とする。
【００１１】
請求項３記載の発明は、請求項１または請求項２に記載の映像配信システムにおいて、前記データベースは、前記ライブハウスを特定する情報と、ライブハウスの規模とが対応付けられたライブハウスデータベース、を含み、前記検索部は、前記検索条件としてライブハウスの規模が指定された場合、指定された規模のライブハウスでライブ中のアーティストと、前記指定された規模のライブハウスでライブを行ったアーティストとを抽出することを特徴とする。
【００１２】
請求項４記載の発明は、映像配信システムであって、ライブハウスに設置され、前記ライブハウスで行われているライブを撮影して映像データを生成するカメラと、ネットワークを介して前記映像データをリアルタイムに受信し、受信した前記映像データを生中継データとしてリアルタイムに配信する配信サーバと、を備え、前記配信サーバは、前記ライブハウスを特定する情報と、前記ライブハウスで行われるライブのスケジュールとを対応付けたデータベースと、ユーザ端末により指定された検索条件を満たすライブハウスを前記データベースから抽出し、抽出されたライブハウスで行われているライブを生中継しているか否かを示す配信情報を前記データベースに基づいて生成する検索部と、前記抽出されたライブハウスと、前記配信情報とを対応付けた検索結果を前記ユーザ端末に送信する送信部と、前記ユーザ端末が前記抽出されたライブハウスの生中継データの配信を要求した場合、配信を要求された生中継データの前記ユーザ端末への配信を開始する映像配信部と、を含むことを特徴とする。
【００１３】
請求項５記載の発明は、請求項４に記載の映像配信システムにおいて、前記映像配信部は、前記抽出されたライブハウスの生中継データの配信先数を取得する配信先管理部、を含み、前記送信部は、前記抽出されたライブハウスと、前記配信情報と、前記配信先数とを対応付けた検索結果を送信することを特徴とする。
【００１４】
請求項６記載の発明は、請求項１ないし請求項５のいずれかに記載の映像配信システムにおいて、前記ライブハウスに設置される前記カメラは複数であり、前記配信サーバは、前記ユーザ端末から生中継データの配信を要求された場合、中継元のライブハウスに設置された各カメラの位置を示すカメラ位置情報を前記ユーザ端末に送信する位置情報送信部、を含み、前記映像配信部は、前記カメラ位置情報に基づいて前記ユーザ端末が選択したカメラに対応する生中継データを、前記ユーザ端末に配信することを特徴とする。
【発明の効果】
【００１５】
本発明において、配信サーバは、ユーザ端末により指定された検索条件を満たすアーティストを抽出し、抽出されたアーティストと配信情報とを対応付けた検索結果をユーザ端末に送信する。配信情報が抽出されたアーティストのライブが生中継されているか否かを示す情報であるため、ユーザ端末を操作するユーザ会員は、アーティストの存在を知らなくても、検索条件を指定するだけでライブ中のアーティストを検索することができる。したがって、ユーザ会員は、様々なアーティストのライブの生中継データを視聴することが容易となる。
【００１６】
配信サーバは、抽出されたアーティストと、生中継データの視聴者数とを対応付けた検索結果をユーザ端末に送信する。これにより、ユーザ会員は、生中継データの視聴者数に基づいて、抽出されたアーティストの人気がどの程度であるかを把握することができる。
【００１７】
配信サーバは、検索条件としてライブハウスの規模が指定された場合、指定された規模のライブハウスでライブ中のアーティスト又はライブを行ったことのあるアーティストを抽出する。ユーザ会員は、観客動員数に基づいてアーティストを検索することにより、アーティストの人気の度合いに応じた検索が可能となる。
【００１８】
本発明において、配信サーバは、ユーザ端末により指定された検索条件を満たすライブハウスを抽出し、抽出されたライブハウスと配信情報とを対応付けた検索結果を生成する。配信情報が、抽出されたライブハウスで行われているライブが生中継されているか否かを示す情報であるため、ユーザ会員は、ライブハウスを検索することでライブ中のアーティストを調べることができる。したがって、ユーザ会員は、様々なアーティストのライブの生中継データを視聴することが容易となる。
【図面の簡単な説明】
【００１９】
【図１】本発明の実施の形態に係る映像配信システムの全体図である。
【図２】配信サーバの機能的構成を示すブロック図である。
【図３】ライブハウスＤＢを示す図である。
【図４】ライブ映像のリアルタイム配信の流れを示すシーケンス図である。
【図５】スケジュールデータベースを示す図である。
【図６】アーティスト検索用の検索ページを示す図である。
【図７】プルダウンメニューで指定することができる検索条件のリストを示す図である。
【図８】オプションリストを示す図である。
【図９】インディーズアーティストの紹介ページを示す図である。
【図１０】ライブハウスで行われているライブの生中継ページを示す図である。
【図１１】ライブハウスの検索ページを示す図である。
【図１２】ライブハウスの検索結果ページを示す図である。
【発明を実施するための形態】
【００２０】
以下、図面を参照しつつ本発明の実施の形態について説明する。実施の形態では、ライブハウスで行われるライブの映像をリアルタイム配信する映像配信システムを説明する。
【００２１】
｛１．映像配信システムの構成｝
図１は、実施の形態に係る映像配信システムの全体図である。映像配信システムは、登録装置１０ａ、１０ｂと、カメラ１１ａ，１１ｂと、配信サーバ２０と、ユーザ端末３とがインターネット４に接続された構成である。
【００２２】
登録装置１０ａ及びカメラ１１ａは、ライブハウス１ａに設置される。登録装置１０ｂ及びカメラ１１ｂは、ライブハウス１ｂに設置される。ライブハウス１ａ，１ｂは、収容人数が数百人以下の小規模なホールである。各ライブハウスでは、インディーズアーティストのライブが行われる。
【００２３】
ライブハウス１ａ、１ｂのオーナは、各ライブハウスで行われるライブの映像（以下、「ライブ映像」という）のリアルタイム配信を行うために、ライブ映像の配信契約を映像配信会社と締結する。ライブハウス１ａ，１ｂのオーナは、ライブを行う場合、ライブのスケジュールと、ライブを行うインディーズアーティストの情報を予め登録しておく。映像配信会社は、ユーザ会員の所有するユーザ端末３に対して、ライブハウス１ａ，１ｂで行われるライブ映像をリアルタイムに配信する。ユーザ会員は、インディーズアーティストのジャンルや、ライブの行われる日時などを指定するだけで、自身の好みに合ったインディーズアーティストのライブ映像を視聴することができる。
【００２４】
登録装置１０ａは、ライブハウス１ａに設置されるＰＣである。登録装置１０ａは、ライブハウス１ａで行われるライブのスケジュールや、ライブをするインディーズアーティストの情報を登録する。カメラ１１ａ，１１ａ・・・は、ライブハウス１ａに設置され、インディーズアーティストのライブを撮影して映像データを生成する。登録装置１０ｂ及びカメラ１１ｂ、１１ｂ・・・は、ライブハウス１ｂに設置され、登録装置１０ａ及びカメラ１１ａと同様に動作する。
【００２５】
以下、登録装置１０ａ，１０ｂに共通の説明をするときには、登録装置１０ａ、１０ｂを登録装置１０と呼ぶ。カメラ１１ａ、１１ｂに共通の説明をするときには、カメラ１１ａ、１１ｂをカメラ１１と呼ぶ。
【００２６】
配信サーバ２０は、映像配信会社が所有する配信センター２に設置される。配信サーバ２０は、ライブ映像をカメラ１１から受信し、ライブハウス１ａ、１ｂで撮影されるライブ映像をリアルタイムに配信する。配信サーバ２０は、ライブハウスに関する情報、ライブに関するスケジュール情報、及びインディーズアーティストに関する情報を記憶しており、ユーザ端末３からのインディーズアーティスト又はライブハウスの検索要求に対して応答する。
【００２７】
ユーザ端末３，３は、ユーザ会員が所有するＰＣである。ユーザ端末３，３は、ＰＣに限られず、携帯電話などであってもよい。
【００２８】
図２は、配信サーバ２０の機能的構成を示すブロック図である。配信サーバ２０は、制御部２１と、データベース２２と、デーベース管理部２３と、映像配信部２４と、ＷＥＢサーバ部２５と、ライブ映像記憶部２６と、ネットワークインタフェース２７とを備える。制御部２１は、ＣＰＵ及びＲＡＭなどを備え、配信サーバ２０の全体制御を行う。
【００２９】
データベース２２は、登録装置１０に入力された各種情報を記録する。データベース２２は、ライブハウスデータベース（ＤＢ）２２１と、スケジュールＤＢ２２２と、アーティストＤＢ２２３とを含む。ライブハウスＤＢ２２１には、ライブハウスに関する情報が記録される。スケジュールＤＢ２２２には、各ライブハウスで行われるライブのスケジュールが記録される。アーティストＤＢ２２３には、各ライブハウスでライブを行うインディーズアーティストの情報が記録される。
【００３０】
データベース管理部２３は、ライブハウスＤＢ２２１と、スケジュールＤＢ２２２と、アーティストＤＢ２２３に対する情報の登録や、検索などを行う。
【００３１】
映像配信部２４は、カメラ１１が生成した映像データをリアルタイムに受信し、受信した映像データをライブ映像記憶部２６に保存する。映像配信部２４は、ユーザ端末３からライブ映像のリアルタイム配信が要求された場合に、受信した映像データをリアルタイムに配信する。
【００３２】
ＷＥＢサーバ部２５は、ユーザ端末３からの要求に応じて、検索ページやライブ映像の視聴ページなどのＷＥＢページを生成し、ユーザ端末３に送信する。ライブ映像記憶部２６は、受信した映像データを過去映像データ２６１として記憶する。ネットワークインタフェース２７は、ＴＣＰ／ＩＰなどのプロトコルを用いて、インターネット４に接続された装置との間で通信を行う。
【００３３】
｛２．ライブ映像の配信の流れ｝
以下、ライブ映像のリアルタイム配信の流れについて、ライブハウス１ａで行われるライブを例にして説明する。
【００３４】
｛２．１．ライブハウスの登録｝
まず、ライブハウス１ａのオーナは、登録装置１０ａを操作して、ライブハウス１ａに関する情報をライブハウスＤＢ２２１に登録する。図３は、ライブハウスＤＢ２２１を示す図である。ライブハウスＤＢ２２１には、ＩＤ番号と、ライブハウスの名称と、地方と、都道府県と、市町村等と、収容人数と、カメラ配置と、アーティスト名とが対応付けて登録される。
【００３５】
ＩＤ番号は、各ライブハウスに付与される固有の番号である。地方は、ライブハウスが設置されている地方の大まかな区分を示す。都道府県は、ライブハウスのある都道府県を示す。市町村等は、東京都、大阪府などの大都市圏にあるライブハウスが登録される際に用いられ、都道府県より下の行政区分（市町村など）を示す。収容人数は、各ライブハウスが収容できる観客の人数を示す。カメラ配置は、各ライブハウスに設置されたカメラの位置を示す情報である。図３では、カメラ配置に関する情報の表示を省略している。アーティスト名には、各ライブハウスでライブを行ったことのあるアーティスト又はライブを行う予定のアーティストの名称が登録される。この他、ライブハウスＤＢ２２１には、各ライブハウスの交通アクセス情報や、住所、電話番号などの連絡先などが登録される。
【００３６】
｛２．２．ライブ情報の登録｝
図４は、ライブ映像のリアルタイム配信の流れを示すシーケンス図である。まず、ライブハウス１ａのオーナは、ライブのスケジュール情報や、ライブをするインディーズアーティストの情報を、登録装置１０ａに入力する。ライブハウス１ａのオーナは、ライブを行うインディーズアーティストを既に登録している場合は、インディーズアーティストの情報の入力を省略することができる。
【００３７】
登録装置１０ａは、スケジュール情報及びアーティストの情報を、登録情報として配信サーバ２０に送信する（ステップＳ１）。配信サーバ２０は、登録情報を受信すると、スケジュール情報をスケジュールＤＢ２２２に登録し、インディーズアーティストの情報をアーティストＤＢ２２３に登録する。
【００３８】
図５は、スケジュールＤＢ２２２の一例を示す図である。スケジュールＤＢ２２２には、各ライブハウスで行われるライブに固有のＩＤ番号と、ライブ日と、開始時刻と、終了時刻と、会場名と、アーティストとが対応付けられて記録される。
【００３９】
アーティストＤＢ２２３には、インディーズアーティストに固有のＩＤ番号と、インディーズアーティストの名称と、フェイバリットと、ジャンルと、詳細説明と、インディーズアーティストの画像データとが対応付けられて記録される。フェイバリットには、インディーズアーティストが目標とするメジャーアーティストが登録される。詳細説明には、インディーズアーティストのメンバー情報やディスコグラフィなどが登録される。
【００４０】
｛２．３．映像データのストリーミング配信｝
ライブハウス１ａでは、ライブ開始時刻になると、ライブが開始される。ライブ開始とともに、カメラ１１ａは、ライブの撮影を開始する。カメラ１１ａの操作は、ライブハウス１ａのスタッフが行ってもよいし、配信サーバ２０がリモートで行ってもよい。カメラ１１ａは、ライブを撮影して生成した映像データの送信を開始する（ステップＳ２）。カメラ１１ａは、ステップＳ１０において、映像データの送信終了通知を配信サーバ１０に送信するまでの間、映像データを配信サーバ２０にリアルタイムに送信する。
【００４１】
配信サーバ２０は、カメラ１１ａ，１１ａ・・・から継続的に受信する映像データを、過去映像データ２６１，２６１・・・としてライブ映像記憶部２６に保存する。過去映像データ２６１には、ライブが行われたライブハウス、ライブの開始時刻、及び撮影したカメラ１１ａを特定することができる情報などが付与される。
【００４２】
配信サーバ２０は、カメラ１１ａ，１１ａ・・・から継続的に受信する映像データを、ユーザ端末３に対してリアルタイムに配信することができる。以下、ユーザ端末３にリアルタイムに配信することができる映像データを、生中継データと呼ぶ。
【００４３】
ユーザ端末３は、ユーザ会員の操作に応じて、アーティストの検索ページの表示要求を配信サーバ２０に送信する（ステップＳ３）。ＷＥＢサーバ部２５は、検索ページの表示要求を受信した場合、検索ページをユーザ端末３に送信する（ステップＳ４）。ユーザ会員は、ユーザ端末３に表示された検索ページに検索条件を入力して、検索を指示する。検索要求が、ユーザ端末３から配信サーバ２０に送信される（ステップＳ５）。
【００４４】
配信サーバ２０は、検索要求を受信すると、検索条件を満たすインディーズアーティストをデータベース２２から抽出する。抽出されたインディーズアーティストの情報と、このアーティストがライブ中であるか否かを示す配信情報とが対応付けられた検索結果が生成され、ユーザ端末３に送信される（ステップＳ６）。ユーザ会員は、検索結果を参照することで、ライブ中のインディーズアーティストを知ることができる。
【００４５】
映像配信部２４は、ライブハウス１ａで行われているライブの生中継データの配信要求をユーザ端末３から受け付けた場合（ステップＳ７）、ユーザ端末３に対して生中継データのストリーミング配信を開始する（ステップＳ８）。つまり、中継元であるライブハウス１ａから送信される映像データが、そのまま生中継データとしてリアルタイムにユーザ端末３に配信される。これにより、ユーザ会員は、ライブハウス１ａで行われているライブをリアルタイムに視聴することができる。
【００４６】
ユーザ会員が生中継データの配信停止を指示した場合、配信停止要求がユーザ端末３から配信サーバ２０に送信される（ステップＳ９）。映像配信部２４は、ユーザ端末３への生中継データのストリーミング配信を停止する。映像配信部２４は、ライブハウス１ａのライブが終了した場合にも、生中継データの配信を停止する。
【００４７】
実施の形態では、生中継データのリアルタイム配信について説明するが、映像配信部２４は、過去映像データ２６１をユーザ端末３に配信してもよい。たとえば、ユーザ会員は、インディーズアーティストの過去のライブ一覧のページをユーザ端末３に表示させて、所望の過去映像データ２６１を視聴することができる。
【００４８】
｛２．４．アーティスト検索｝
ここでは、検索条件としてアーティストに関する情報を指定するアーティスト検索について説明する。ユーザ会員は、アーティスト検索を用いて、ライブ中のアーティストを調べることができる。
【００４９】
図６は、アーティスト検索用の検索ページ３２を示す図である。検索ページ３２は、ユーザ端末３が検索ページ３２の表示要求を配信サーバ２０に送信する（ステップＳ３、図４参照）ことにより、ユーザ端末３のモニタに表示される。
【００５０】
ユーザ会員は、アーティストに関する検索条件を検索ページ３２に入力する。検索ページ３２には、検索条件を指定するユーザインタフェースとして、プルダウンメニュー３２ａ，３２ｂ，３２ｃ，３２ｄと、テキストボックス３２ｅ，３２ｆ，３２ｇとが設けられる。検索結果表示欄３２ｍには、指定された検索条件を満たすアーティストが表示される。ただし、検索ページ３２が表示される時点では、検索結果表示欄３２ｍは空欄である。
【００５１】
ユーザ会員は、プルダウンメニュー３２ａ〜３２ｄに予め登録されているキーワードを指定することにより、検索条件を指定することができる。プルダウンメニュー３２ａ，３２ｂ，３２ｃの右側には、オプションボタン３２１ａ，３２１ｂ，３２１ｃが設けられる。オプションボタン３２１ａ〜３２１ｃは、オプションリストを表示するためのボタンである。オプションリストは、プルダウンメニュー３２ａ〜３２ｃで指定する検索条件に対して、さらに詳細な検索条件を追加するために用いられる。
【００５２】
図７は、プルダウンメニュー３２ａ〜３２ｄで指定することができる検索条件のリストを示す図である。図８は、オプションリストを示す図である。
【００５３】
プルダウンメニュー３２ａは、検索条件として、インディーズアーティストの活動地域を指定する際に用いられる。図７に示す活動地域リストが、プルダウンメニュー３２ａに設定される。ユーザ会員は、プルダウンメニュー３２ａを用いて、日本全国や、北海道、東北、関東などの大まかな地域区分を指定することができる。
【００５４】
オプションボタン３２１ａがクリックされた場合、図８に示す都道府県名のリストがユーザ端末３に新たに表示される。これにより、ユーザ会員は、活動地域として都道府県を選択することができる。都道府県名のリストで、東京都、神奈川県、大阪府などの特定の都道府県が選択された場合、選択された都道府県の市区町村名のリストを新たに表示してもよい。たとえば、東京都を選択した場合、東京２３区などのリストが表示される。大阪市を選択した場合、「大阪市北部」，「大阪市南部」，「その他」などのリストが表示される。これにより、大都市圏では、活動地域として都道府県単位より狭い市区町村を指定することができる。
【００５５】
都道府県単位又は市区町村単位で活動地域を指定する場合、複数の都道府県、市区町村を指定してもよい。これにより、プルダウンメニュー３２ａで表示される地域区分を超えて、インディーズアーティストの活動地域を指定することができる。
【００５６】
オプション選択リストにより指定された検索条件は、検索ページ３２の右上側に設けられるオプション指定欄３２ｈに表示される。図６に示すオプション指定欄３２ｈには、大阪市北部、滋賀県、及び岐阜県が指定されている。オプション指定欄３２ｈにおいて、活動地域名に付加される数値は、該当するインディーズアーティストの数を示す。
【００５７】
活動地域が検索条件として指定された場合、ライブハウスＤＢ２２１に基づく検索が行われる。具体的には、指定された活動地域に存在するライブハウスでライブをしたことのあるインディーズアーティストが、ライブハウスＤＢ２２１に基づいて抽出される。
【００５８】
プルダウンメニュー３２ｂは、検索条件として、ライブハウスの規模を指定する際に用いられる。つまり、インディーズアーティストが動員することができる観客の数を、ライブハウスの規模で指定する。インディーズアーティストの観客動員数が大きければ、そのインディーズアーティストの人気は高いと考えられる。このため、ライブハウスの規模を指定することにより、人気の度合いに基づくインディーズアーティストの検索が可能となる。具体的には、活動を始めたばかりで知名度の低いインディーズアーティストや、全国的に有名になると予想されるインディーズアーティストを検索することができる。
【００５９】
プルダウンメニュー３２ｂには、図７に示す収容人数リストが設定される。ユーザ会員は、収容人数リストを用いて、ライブハウスの規模を指定する。ライブハウス規模が検索条件として指定された場合、指定された収容人員に対応するライブハウスでライブをしたことのあるインディーズアーティストが、ライブハウスＤＢ２２１に基づいて抽出される。
【００６０】
ライブハウスの規模の指定でも、オプション設定が可能である。たとえば、ユーザ会員が、プルダウンメニュー３２ｂでライブハウス規模（１０１〜２００人）を指定した上で、オプションボタン３２１ｂをクリックした場合を考える。この場合、ユーザ端末３には、指定された規模のライブハウスのリスト（図８参照）が新たに表示される。ライブハウスのリストは、オプションボタン３２１ｂのクリックに応じて、ユーザ端末３が配信サーバ２０から取得する。ライブハウスのリストを用いることで、インディーズアーティストの絞り込み検索が容易となる。
【００６１】
プルダウンメニュー３２ｃは、検索条件として、インディーズアーティストのジャンルを指定する際に用いられる。図７に示すジャンルリストが、プルダウンメニュー３２ｃに設定される。ユーザ会員は、プルダウンメニュー３２ｃを用いて、大まかなジャンルを指定することができる。
【００６２】
オプションボタン３２１ｃがクリックされた場合、図８に示す詳細ジャンルリストがユーザ端末３のモニタに新たに表示される。これにより、検索条件としてさらに細かい区分のジャンルを指定することができる。
【００６３】
たとえば、ユーザ会員は、検索条件として「デスメタル」を指定したい場合、プルダウンメニュー３２ｃで「メタル」を選択した上で、詳細ジャンルリストを表示させる。ユーザ会員は、詳細ジャンルリストで「デス」を指定する。これにより、ユーザ会員は、「デスメタル」を指定することができる。
【００６４】
詳細ジャンルリストは、プルダウンメニュー３２ｃに表示されるジャンルに区分することができないジャンルを含む。このようなジャンルを選択したい場合、ユーザ会員は、プルダウンメニュー３２ｃで「全て」を選択した上で、詳細ジャンルリストを表示させればよい。詳細ジャンルリストを用いてジャンルを指定する場合、ユーザ会員は、複数のジャンルを指定してもよい。
【００６５】
ジャンルが検索条件として指定された場合、データベース管理部２３は、アーティストＤＢ２２３に基づいて、指定されたジャンルに対応するインディーズアーティストを抽出する。
【００６６】
プルダウンメニュー３２ｄは、検索条件として、インディーズアーティストのライブ日を指定する際に用いられる。図７に示すライブ日の区分リストが、プルダウンメニュー３２ｄに設定される。ユーザ会員は、プルダウンメニュー３２ｄを用いて、ライブ中のアーティストや、過去の特定の時期にライブをしたインディーズアーティストを検索することができる。
【００６７】
ユーザ会員は、ライブ中のインディーズアーティストを検索したい場合、プルダウンメニュー３２ｄで「ライブ中」を指定する。ユーザ会員は、過去１週間以内にライブをしたインディーズアーティストを検索したい場合、プルダウンメニュー３２ｃで「１週間以内」を選択する。
【００６８】
ライブ日が検索条件として指定された場合、データベース管理部２３は、スケジュールＤＢ２２２に基づいてインディーズアーティストを抽出する。検索条件として「ライブ中」が指定された場合、データベース管理部２３は、検索の指示があったタイミングにおける日付と時刻とに基づいて、ライブ中のインディーズアーティストを抽出する。
【００６９】
テキストボックス３２ｅ〜３２ｇには、検索キーワードが直接入力される。アーティストの名称又は名称の一部を検索条件として指定する場合、ユーザ会員は、テキストボックス３２ｅに検索キーワードを入力する。
【００７０】
ユーザ会員は、自分の好みのメジャーアーティストと傾向の近いインディーズアーティストを検索したいときには、テキストボックス３２ｆにメジャーアーティストの名称を入力する。この場合、テキストボックス２３ｅに入力されたキーワードと、アーティストＤＢ２２３に記録された各インディーズアーティストのフェイバリットとに基づいて、インディーズアーティストが抽出される。
【００７１】
ユーザ会員は、アーティスト名及びフェイバリット以外のキーワードに基づいてインディーズアーティストを検索したいときには、テキストボックス３２ｇにキーワードを入力する。この場合、テキストボックス３２ｇに入力されたキーワードに対応するインディーズアーティストが、ライブハウスＤＢ２２１，スケジュールＤＢ２２２，及びアーティストＤＢの中から抽出される。
【００７２】
｛２．５．検索結果の表示｝
ユーザ会員は、検索ページ３２に検索条件を入力して、検索開始ボタン３２ｋをクリックする。これにより、検索要求が、ユーザ端末３から配信サーバ２０に送信される（ステップＳ５，図４参照）。検索要求は、検索ページ３２で指定された検索条件を含む。
【００７３】
データベース管理部２３は、ライブハウスＤＢ２２１、スケジュールＤＢ２２２、及びアーティストＤＢ２２３から検索条件を満たすインディーズアーティストを抽出する。ＷＥＢサーバ部２５は、検索結果データを生成してユーザ端末３に送信する（ステップＳ６）。検索結果データは、抽出されたインディーズアーティスト（以下、「抽出インディーズ」という）の名称、画像、配信情報、及び視聴者数情報などを含む。
【００７４】
配信情報は、配信サーバ２０が検索要求を受信した時点において、抽出インディーズがライブ中であるか否かを示す情報である。配信情報は、スケジュールＤＢ２２２に基づいて、データベース管理部２３により作成される。
【００７５】
たとえば、配信サーバ２０が検索要求を受信した時刻が２００９年１０月２４日１９時４５分であり、インディーズアーティスト「Ｂｏｉｌｅｄ  Ｅｇｇ」及び「ＪＯＹ  ＪＯＹ  ＪＯＹ」が抽出された場合を考える。図５に示すように、上記の時刻において、「Ｂｏｉｌｅｄ  Ｅｇｇ」は、ライブ中である。このため、「Ｂｏｉｌｅｄ  Ｅｇｇ」の配信情報には、「ライブ中」が設定される。一方、「ＪＯＹ  ＪＯＹ  ＪＯＹ」は、ライブをしていない。このため、「ＪＯＹ  ＪＯＹ  ＪＯＹ」の配信情報には、「ライブなし」が設定される。
【００７６】
視聴者数情報とは、抽出インディーズがライブ中である場合に、抽出インディーズのライブ映像を視聴しているユーザ会員の数を示す情報である。映像配信部２４は、生中継データをリアルタイム配信している。このため、抽出インディーズがライブ中であれば、ＷＥＢサーバ部２５は、抽出インディーズのライブ映像の視聴者数を映像配信部２４から取得することができる。
【００７７】
再び、図６を参照する。ユーザ端末３は、受信した検索結果データに基づいて、抽出インディーズの名称及び画像を検索結果表示欄３２ｍに表示する。ユーザ会員は、検索結果表示欄３２ｍの左右の矢印をクリックすることにより、他の抽出インディーズの名称及び画像を表示させることができる。
【００７８】
検索結果表示欄３２ｍには、配信情報に基づいて、抽出インディーズのライブを生中継しているか否かが表示される。表示中の抽出インディーズのライブを生中継していれば、「現在ライブ中！！」のメッセージが、検索結果表示欄３２ｍに表示される。これにより、ユーザ会員は、抽出インディーズのライブをリアルタイムに視聴できるか否かを容易に確認することができる。表示中の抽出インディーズのライブが生中継されている場合、ライブの視聴者数が表示される。これにより、ユーザ会員は、抽出インディーズのアーティストの人気がどの程度かを把握することができる。
【００７９】
｛２．６．ライブ映像の視聴｝
図９は、インディーズアーティストの紹介ページ３３を示す図である。ユーザ会員は、検索結果表示欄３２ｍに表示されたインディーズアーティストの画像をクリックすることにより、紹介ページ３３をユーザ端末３に表示させることができる。紹介ページ３３は、紹介ページ３３の表示要求を受信したＷＥＢサーバ部２５により生成され、ユーザ端末３に送信される。
【００８０】
紹介ページ３３の最上段には、インディーズアーティストの名称が表示される。詳細情報表示欄３３ａには、アーティストＤＢ２２３の詳細情報に登録されているメンバー情報や、発売中のＣＤの情報などが表示される。スケジュール表示欄３３ｂには、インディーズアーティストのライブスケジュールが表示される。
【００８１】
生中継情報表示欄３３ｃ及び生中継開始ボタン３３ｄは、紹介ページ３３が生成されるタイミングでインディーズアーティストがライブをしている場合に表示される。生中継情報表示欄３３ｃには、インディーズアーティストがライブをしているライブハウスの名称や、ライブ映像の視聴者数などが表示される。ユーザ会員は、生中継開始ボタン３３ｄをクリックすることで、生中継されているライブ映像を視聴することができる。
【００８２】
プレイヤ３３ｅは、インディーズアーティストのプロモーションビデオや、楽曲データを再生する。プロモーションビデオや楽曲データを再生するためには、インディーズアーティストは、予めこれらのデータを配信サーバ２０に登録しておく必要がある。
【００８３】
図１０は、ライブの生中継ページ３４を示す図である。ユーザ会員は、生中継開始ボタン３３ｄ（図９参照）をクリックすることにより生中継ページ３４をユーザ端末３に表示させることができる。生中継ページ３４は、ＷＥＢサーバ部２５により生成されて、ユーザ端末３に送信される。映像配信部２４は、紹介ページ３３に表示されているインディーズアーティストに対応する生中継データのストリーミング送信を開始する（ステップＳ８、図４参照）。
【００８４】
生中継ページ３４において、ライブ情報表示欄３４ａには、ライブハウス１ａの名称及び視聴者数が表示される。視聴者数は、インディーズアーティストのライブ映像の視聴者数の変化に応じてリアルタイムに変化する。ライブ映像表示画面３４ｂには、配信サーバ２０から受信した生中継データに基づいて、インディーズアーティストのライブ映像が表示される。
【００８５】
見取り図３４ｃは、ライブハウス１ａにおけるカメラ１１の設置場所を示す図である。見取り図３４ｃは、ライブハウスＤＢ２２１に登録されたカメラ配置に基づいて表示される。図１０では、ライブハウス１ａに４台のカメラが設置されていることが分かる。４台のカメラ１１ａの名称を、カメラＡ、カメラＢ、カメラＣ、カメラＤとする。
【００８６】
カメラ指定ボタン３４１ｄ〜３４４ｄは、ライブ映像表示画面３４ｂに表示されるカメラの映像を指定するボタンであり、カメラＡ〜Ｄにそれぞれ対応する。たとえば、ユーザ会員は、カメラ指定ボタン３４１ｄをクリックすることで、カメラＡに対応する生中継データをライブ映像表示画面３４ｂに表示させることができる。このように、ライブ映像表示画面３４ｂに表示されるカメラの映像を切り替えることで、ユーザ会員は、様々な位置から撮影されたライブ映像を視聴することができる。
【００８７】
｛２．７．ユーザによるライブハウス検索｝
次に、検索条件としてライブハウスに関する情報を指定するライブハウス検索について説明する。ユーザ会員は、ライブハウス検索を用いて、ライブが行われているライブハウスを調べることができる。
【００８８】
図１１は、ライブハウス検索用の検索ページ３５を示す図である。検索ページ３５は、ユーザ端末３が検索ページ３５の表示要求を配信サーバ２０に送信する（ステップＳ４、図４参照）ことにより、ユーザ端末３に表示される。検索ページ３５には、検索条件を指定するユーザインタフェースとして、プルダウンメニュー３５ａ，３５ｂ，３５ｃと、テキストボックス３５ｄとが設けられる。
【００８９】
プルダウンメニュー３５ａは、検索条件として、ライブハウスの所在地を指定するために用いられる。プルダウンメニュー３５ａ及びオプションボタン３５１ａの使用方法は、上述したインディーズアーティストの活動地域の指定と同様である。プルダウンメニュー３５ｂは、検索条件として、ライブハウスの規模を指定する際に用いられる。プルダウンメニュー３５ｃは、検索条件として、ライブの日付を指定する際に用いられる。プルダウンメニュー３５ｂ，３５ｃに設定されるリストは、図７に示すリストと同様である。テキストボックス３５ｄは、検索条件として、ライブハウスの名称を指定するために用いられる。
【００９０】
検索開始３５ｅボタンを押すことにより、検索条件を満たすライブハウスの一覧が表示される。図１２は、ライブハウスの検索結果ページ３６を示す図である。図１２に示すように、検索対象地域として、大阪市北部及び滋賀県が指定されている。
【００９１】
検索結果ページ３６には、検索条件を満たすライブハウスのリスト３６ａが表示される。リスト３６ａでは、各ライブハウスの名称と、配信情報と、視聴者数とが対応付けられて表示される。リスト３６に表示されたライブハウスの名称がクリックされた場合、ライブハウスの紹介ページが表示される。
【００９２】
ライブハウスの紹介ページは、図９に示すインディーズアーティストの紹介ページ３３と同様の構成である。ただし、ライブハウスの紹介ページの最上段には、ライブハウスの名称が表示される。詳細情報にはライブ中のインディーズアーティスト名と、視聴者数とが表示される。ユーザ会員は、ライブハウスの紹介ページに表示される生中継開始ボタンをクリックすることにより、検索結果ページ３６で選択したライブハウスで行われているライブの生中継映像を視聴することができる。
【００９３】
このように、ユーザ会員は、地域や規模を指定してライブハウスを検索することにより、ライブが生中継されているライブハウスを調べることができる。これにより、ユーザ会員は、インディーズアーティストのライブ映像をリアルタイムに視聴することができる。地域や規模を指定することで、ユーザ会員は、インディーズアーティストの活動地域や、インディーズアーティストの観客動員数を間接的に指定することができる。
【符号の説明】
【００９４】
１ａ，１ｂ  ライブハウス
３  ユーザ端末
１０，１０ａ，１０ｂ  登録装置
１１，１１ａ，１１ｂ  カメラ
２０  配信サーバ
２２  データベース
２３  データベース管理部
２４  映像配信部
２５  ＷＥＢサーバ部
【図１】
2011103522.tif 000003
【図２】
2011103522.tif 000004
【図３】
2011103522.tif 000005
【図４】
2011103522.tif 000006
【図５】
2011103522.tif 000007
【図６】
2011103522.tif 000008
【図７】
2011103522.tif 000009
【図８】
2011103522.tif 000010
【図９】
2011103522.tif 000011
【図１０】
2011103522.tif 000012
【図１１】
2011103522.tif 000013
【図１２】
2011103522.tif 000014